(57)【要約】      （修正有）【課題】オーニング操作の安定性を向上させる自動オーニング構造付き折り畳み式テントを提供する。【解決手段】自動オーニング構造付き折り畳み式テントは、脚パイプ及び折り畳み式ロッドユニットを有する折り畳み式テント本体を備え、脚パイプと折り畳み式ロッドユニットは、脚パイプスライダー及び脚パイプ上側部材７を介して嵌合して取り付けられ、オーニングユニット１をさらに備え、オーニングユニットは、接続スリーブセットとオーニングロッドセットを備え、接続スリーブセットは、第１スライドスリーブ１４、第２スライドスリーブ１５及び第３スライドスリーブ１６を備え、オーニングロッドセットは、オーニングロッド１１、斜め引きロッド１３及びプッシュロッド１２を備える。プッシュロッドがスムーズに水平にスライドでき、プッシュロッドの長さを短くして、干渉を回避する。【選択図】図２
0003230328.tif 000002
【実用新案登録請求の範囲】
【請求項１】
脚パイプ及び折り畳み式ロッドユニットを有する折り畳み式テント本体を備え、前記脚パイプと前記折り畳み式ロッドユニットは、脚パイプスライダー及び脚パイプ上側部材を介して嵌合して取り付けられる自動オーニング構造付き折り畳み式テントであって、
オーニングユニットをさらに備え、前記オーニングユニットは、接続スリーブセットとオーニングロッドセットを備え、前記接続スリーブセットは、第１スライドスリーブ、第２スライドスリーブ及び第３スライドスリーブを備え、前記オーニングロッドセットは、オーニングロッド、斜め引きロッド及びプッシュロッドを備え、前記第１スライドスリーブは、前記オーニングロッドとスライド可能に嵌合し、前記プッシュロッドにヒンジ連結されて嵌合し、前記第２スライドスリーブは、前記プッシュロッドに固定して嵌合し、折り畳み式上部ロッドとスライド可能に嵌合し、前記斜め引きロッドにヒンジ連結されて嵌合し、前記第３スライドスリーブは、前記折り畳み式上部ロッドに固定して嵌合し、折り畳み式斜めロッドにヒンジ連結されて嵌合する、ことを特徴とする自動オーニング構造付き折り畳み式テント。
【請求項２】
折り畳み式テントが収納状態であるとき、前記オーニングロッドの開放端は、内向き位置にあり、折り畳み式テントが展開状態であるとき、前記オーニングロッドの開放端は、外向き位置にあり、折り畳み式テントが収納状態から展開状態に変わるとき、前記第１スライドスリーブは、前記オーニングロッドのヒンジ端へ徐々にフライドし、限界位置までスライドすると、前記オーニングロッドは、反転し始め、且つ前記第１スライドスリーブは、折り畳み式テントが完全に展開するまで開放端へ徐々にスライドし、限界位置と前記オーニングロッドのヒンジ端位置との間には、間隔が開けられている、ことを特徴とする請求項１に記載の自動オーニング構造付き折り畳み式テント。
【請求項３】
前記オーニングロッドの一端は、前記脚パイプ上側部材にヒンジ連結されて嵌合し、前記第１スライドスリーブは、前記プッシュロッドを介して押されて、前記オーニングロッドに沿ってスライドする、ことを特徴とする請求項１又は２に記載の自動オーニング構造付き折り畳み式テント。
【請求項４】
折り畳み式テントが収納状態であるとき、前記第１スライドスリーブとのヒンジ位置から離れる前記プッシュロッドの一端が、最内位置にあり、折り畳み式テントが展開状態であるとき、前記第１スライドスリーブとのヒンジ位置から離れる前記プッシュロッドの一端が、最外位置にあり、折り畳み式テントが収納状態から展開状態に変わるとき、前記斜め引きロッドは、前記第２スライドスリーブを前記折り畳み式上部ロッドに沿って外へ移動させ、且つ、前記プッシュロッドを外部に移動させ、前記第２スライドスリーブのスライドストロークは、前記第３スライドスリーブと、前記折り畳み式上部ロッドと前記脚パイプ上側部材とのヒンジ位置との間である、ことを特徴とする請求項１又は２に記載の自動オーニング構造付き折り畳み式テント。
【請求項５】
前記プッシュロッドの中央部が前記第２スライドスリーブに固定して取り付けられ、前記プッシュロッドの一端が前記第１スライドスリーブにヒンジ連結されて取り付けられ、前記プッシュロッドの他端が前記第３スライドスリーブとスライド可能に嵌合するように前記第３スライドスリーブを貫通して設けられる、ことを特徴とする請求項４に記載の自動オーニング構造付き折り畳み式テント。
【請求項６】
前記プッシュロッドは、第１プッシュロッド部、及び前記第３スライドスリーブにおいて伸縮してスライドする第２プッシュロッド部を備える、ことを特徴とする請求項５に記載の自動オーニング構造付き折り畳み式テント。
【請求項７】
前記脚パイプ上側部材には、オーニングロッド取り付け溝及び折り畳み式上部ロッドヒンジ溝が設けられ、前記オーニングロッドは、前記オーニングロッド取り付け溝の溝壁にヒンジ連結されて嵌合する、ことを特徴とする請求項１又は２に記載の自動オーニング構造付き折り畳み式テント。
【請求項８】
前記オーニングロッド取り付け溝の一側には、プッシュロッド配置溝が設けられる、ことを特徴とする請求項７に記載の自動オーニング構造付き折り畳み式テント。
【請求項９】
前記第２スライドスリーブには、前記斜め引きロッドの一端にヒンジ連結されて嵌合する第２ヒンジ式ラグが設けられ、前記斜め引きロッドの他端は、前記折り畳み式斜めロッドにヒンジ連結されて嵌合し、前記第２スライドスリーブには、第２プッシュロッド貫通孔及び第２折り畳み式上部ロッド貫通孔がさらに設けられる、ことを特徴とする請求項１に記載の自動オーニング構造付き折り畳み式テント。
【請求項１０】
前記第３スライドスリーブには、前記折り畳み式斜めロッドにヒンジ連結されて嵌合する第３ヒンジ式ラグが設けられ、前記第３スライドスリーブには、第３プッシュロッド貫通孔及び第３折り畳み式上部ロッド貫通孔がさらに設けられる、ことを特徴とする請求項１に記載の自動オーニング構造付き折り畳み式テント。
【考案の詳細な説明】
【技術分野】
【０００１】
本考案は、折り畳み式テントの技術分野に関し、特に自動オーニング構造付き折り畳み式テントに関する。
【背景技術】
【０００２】
テントは、さまざまな形態の構造があり、室外日よけのためのテントは、通常、折り畳み式テントである。従来の折り畳み式テントは、日よけ面積が小さく、展開したテントの日よけ面積を増加するために、オーニング構造を備えたオーニング式テントが登場している。テントの頂角には、延びだしたオーニングロッドが設けられ、オーニングロッドに設けられたオーニング生地により日よけ面積を増加する目的を達成する。それは、主に、オーニングロッドの外端が各立柱の外部に可動に延びるように、ルーフブラケットの上部ロッドにオーニングロッドを枢接又は挿接する。しかし、従来の折り畳み式テントでは、オーニングロッドは、テント本体ブラケットに対して独立して設けられ、展開又は収納するときに２つのステップで操作する必要がある。すなわち、展開するとき、先ずテント本体ブラケットを展開し、次に各オーニングロッドを１つずつ開き又は引き出す必要があり、オーニングロッドが高い位置にあるため、操作しにくく、収納の場合は逆になるが、同じ問題が存在する。したがって、従来の折り畳み式テントには、構造が複雑であり、収納及び展開操作が煩瑣で不便であるという問題が存在する。
【０００３】
このため、中国特許出願公開第１０７４７６６４７号明細書では、折り畳み可能なテントが開示されており、その折り畳み可能なテントは、日よけ面積が大きく、且つオーニングロッドが第１上部ロッドととともに展開されたり折り畳まれたりすることができ、操作しやすく、展開後に伝動部品が第２上部ロッドに対して補強の作用を果たす。それは、立柱ユニット、及び上部ロッドユニットを備える。上部ロッドユニットは、第１上部ロッド、第２上部ロッド、及びオーニングロッドを備える。第１上部ロッドの内端部が回転可能に接続され、第１上部ロッドの外端部が第２上部ロッドの内端部に回転可能に接続され、第２上部ロッドの外端部、オーニングロッドの内端部、及び立柱ユニットの上端部は、２つずつ回転可能に接続されるか、又は同軸に回転可能に接続される。テントが展開状態であるとき、第１上部ロッド、第２上部ロッド、及びオーニングロッドは、それぞれ相対的に展開され、且つオーニングロッドの外端部が対応する立柱ユニットの外側に延びている。テントが折り畳み状態であるとき、第１上部ロッド、第２上部ロッド、及びオーニングロッドは、それぞれ互いに接近し、各上部ロッドユニットは、それぞれ第１上部ロッドとオーニングロッドの間に接続され、オーニングロッドと第１上部ロッドを展開するか又は折り畳むための伝動部品をさらに備える。第１上部ロッドとオーニングロッドの間に接続され、オーニングロッドが第１上部ロッドに伴い展開したり折り畳まれたりするようにする伝動部品が開示されている。伝動部品は、第１上部ロッドとオーニングロッドとの間に回転可能に接続される伝動ロッドであり、第１上部ロッド、第２上部ロッド、オーニングロッド、及び伝動ロッドは、４リンク機構を構成し、４つのロッドは、連動して互に折り畳まれたり展開されたりする。伝動ロッドは、ピボット軸を介して第１上部ロッドの外端部に回転可能に接続される内端部、及びピボット軸を介してオーニングロッドの内端部に回転可能に接続される外端部を備える。伝動ロッドと第１上部ロッドの接続部は、第２上部ロッドと第１上部ロッドの接続部の外側に位置し、伝動ロッドとオーニングロッドの接続部は、第２上部ロッドとオーニングロッドの接続部の外側に位置する。そのオーニング構造全体の各接続受力点は、いずれも固定位置にある。その結果、伝動ロッドには長いサイズが必要である。また、伝動ロッドの内端が第１上部ロッドと第２上部ロッドの接続部の位置にあるので、折り畳み式テントを収納する過程において、その長さが比較的長いため、特に大きな折り畳み式テントの場合、多段折り畳み式機構が存在するため、他のロッド部材と当接するという問題が発生しやすく、収納の効果に影響を与える。また、該構造は、コニニング操作完了後、４リンク機構が使用されているため、風力が大きい場合、揺れが発生しやすく、使用効果に影響を与える。
【考案の概要】
【考案が解決しようとする課題】
【０００４】
上記問題に対して、本考案の目的は、容易かつ迅速に収納でき、オーニング伝動構造が合理的であるという特徴を有する自動オーニング構造付き折り畳み式テントを提供することである。
【課題を解決するための手段】
【０００５】
本考案が解決する技術課題は、以下の技術案で実現できる。
脚パイプ及び折り畳み式ロッドユニットを有する折り畳み式テント本体を備え、前記脚パイプと前記折り畳み式ロッドユニットは、脚パイプスライダー及び脚パイプ上側部材を介して嵌合して取り付けられる自動オーニング構造付き折り畳み式テントであって、オーニングユニットをさらに備え、前記オーニングユニットは、接続スリーブセットとオーニングロッドセットを備え、前記接続スリーブセットは、第１スライドスリーブ、第２スライドスリーブ及び第３スライドスリーブを備え、前記オーニングロッドセットは、オーニングロッド、斜め引きロッド及びプッシュロッドを備え、前記第１スライドスリーブは、前記オーニングロッドとスライド可能に嵌合し、前記プッシュロッドにヒンジ連結されて嵌合し、前記第２スライドスリーブは、前記プッシュロッドに固定して嵌合し、折り畳み式上部ロッドとスライド可能に嵌合し、前記斜め引きロッドにヒンジ連結されて嵌合し、前記第３スライドスリーブは、前記折り畳み式上部ロッドに固定して嵌合し、折り畳み式斜めロッドにヒンジ連結されて嵌合する、ことを特徴とする。
【０００６】
折り畳み式テントが収納状態であるとき、前記オーニングロッドの開放端は、内向き位置にあり、折り畳み式テントが展開状態であるとき、前記オーニングロッドの開放端は、外向き位置にあり、折り畳み式テントが収納状態から展開状態に変わるとき、前記第１スライドスリーブは、前記オーニングロッドのヒンジ端へ徐々にフライドし、限界位置までスライドすると、前記オーニングロッドは、反転し始め、且つ前記第１スライドスリーブは、折り畳み式テントが完全に展開するまで開放端へ徐々にスライドし、限界位置と前記オーニングロッドのヒンジ端位置との間には、間隔が開けられている。
【０００７】
前記オーニングロッドの一端は、前記脚パイプ上側部材にヒンジ連結されて嵌合し、前記第１スライドスリーブは、前記プッシュロッドを介して押されて、前記オーニングロッドに沿ってスライドする。
【０００８】
折り畳み式テントが収納状態であるとき、前記第１スライドスリーブとのヒンジ位置から離れるプッシュロッドの一端が、最内位置にあり、折り畳み式テントが展開状態であるとき、前記第１スライドスリーブとのヒンジ位置から離れる前記プッシュロッドの一端が、最外位置にあり、折り畳み式テントが収納状態から展開状態に変わるとき、斜め引きロッドは、第２スライドスリーブを折り畳み式上部ロッドに沿って外へ移動させ、且つ、前記プッシュロッドを外部に移動させ、前記第２スライドスリーブのスライドストロークは、第３スライドスリーブと、前記折り畳み式上部ロッドと脚パイプ上側部材とのヒンジ位置との間である。
【０００９】
前記プッシュロッドの中央部が第２スライドスリーブに固定して取り付けられ、前記プッシュロッドの一端が第１スライドスリーブにヒンジ連結されて取り付けられ、前記プッシュロッドの他端が第３スライドスリーブとスライド可能に嵌合するように第３スライドスリーブを貫通して設けられる。
【００１０】
前記プッシュロッドは、第１プッシュロッド部、及び前記第３スライドスリーブにおいて伸縮してスライドする第２プッシュロッド部を備える。
【００１１】
前記脚パイプ上側部材には、オーニングロッド取り付け溝及び折り畳み式上部ロッドヒンジ溝が設けられ、前記オーニングロッドは、前記オーニングロッド取り付け溝の溝壁にヒンジ連結されて嵌合する。
【００１２】
前記オーニングロッド取り付け溝の一側には、プッシュロッド配置溝が設けられる。
【００１３】
前記第２スライドスリーブには、前記斜め引きロッドの一端にヒンジ連結されて嵌合する第２ヒンジ式ラグが設けられ、前記斜め引きロッドの他端は、前記折り畳み式斜めロッドにヒンジ連結されて嵌合し、前記第２スライドスリーブには、第２プッシュロッド貫通孔及び第２折り畳み式上部ロッド貫通孔がさらに設けられる。
【００１４】
前記第３スライドスリーブには、折り畳み式斜めロッドにヒンジ連結されて嵌合する第３ヒンジ式ラグが設けられ、前記第３スライドスリーブには、第３プッシュロッド貫通孔及び第３折り畳み式上部ロッド貫通孔がさらに設けられる。
【考案の効果】
【００１５】
本考案は、設計を最適化させ、プッシュロッドの可動構造を最適化させ、中心が固定されることと両端がスライドすることとを組み合わせた構造の設計を使用することにより、プッシュロッドがスムーズに水平にスライドでき、プッシュロッドの長さを短くして、干渉を回避する。また、プッシュロッドと第１スライドスリーブを組み合わせることにより、オーニングロッドの受力点を可動状態にし、オーニングロッドを反転してコニニング操作を行うことを容易にする。さらに、オーニングロッドが第１スライドスリーブとプッシュロッドによって制限されるため、オーニング操作の安定性を向上させる。
【００１６】
本出願の図面及び以下の好適な実施形態の詳細な説明を参照して、本考案の特徴を明瞭に把握する。
【図面の簡単な説明】
【００１７】
【図１】本考案の全体展開構造の模式図１である。
【図２】本考案のオーニングユニットの構造模式図１である。
【図３】本考案のオーニングユニットの構造模式図２である。
【図４】本考案のオーニングユニットの構造模式図３である。
【図５】本考案の第２スライドスリーブの構造模式図である。
【図６】本考案の第３スライドスリーブの構造模式図である。
【図７】本考案のオーニングロッドが反転した状態下でのオーニングユニットの構造模式図である。
【図８】本考案のオーニングロッドが反転する直前のオーニングユニットの構造模式図である。
【図９】本考案のオーニングロッドが反転していない状態でのオーニングユニットの構造模式図である。
【図１０】本考案の全体展開の構造模式図２である。
【図１１】本考案の全体収納の構造模式図である。
【図１２】本考案の全体半展開の構造模式図である。
【図１３】本考案の全体展開の構造模式図４である。
【考案を実施するための形態】
【００１８】
本考案で実現される技術手段、創造特徴、実現目的及び効果を理解しやすくするために、以下、具体的な図を参照しながら、本考案を更に説明する。
【００１９】
本明細書に定義された「内」、「外」などの方位用語は、すべて折り畳み式テントの中心点の位置を参照とするものであり、折り畳み式テントの中心に近い方向を内として、逆に外とする。
【００２０】
図１〜図１３に示すように、本考案は、脚パイプ２及び折り畳み式ロッドユニットを有する折り畳み式テント本体を備え、脚パイプ２と折り畳み式ロッドユニットが、脚パイプスライダー３と脚パイプ上側部材７を介して嵌合して取り付けられる自動オーニング構造付き折り畳み式テントを提供している。
【００２１】
上記折り畳み式テント本体においては、脚パイプ２、脚パイプスライダー３及び折り畳み式ロッドユニットは、すべて従来の折り畳み式テントにおける対応する構造を用いることができる。脚パイプ２は、少なくとも２本であり、一般的に４本又は６本であり、複数のスリーブを有する折り畳み式テントも存在し、８本などであってもよい。折り畳み式ロッドユニットは、中心に位置する中心ロックユニット５、及び中心ロックユニット５にヒンジ連結されて嵌合するいくつかの中心ロッド４を備え、さらに脚パイプ２の間にサイドロッドユニット６が設けられている。中心ロックユニット５、サイドロッドユニット６、脚パイプスライダー３、脚パイプ２、中心ロッド４などの部材は、すべて従来の技術構造特徴であり、それらに対応する接続関係は折り畳み式テントにおける常用の構造設計である。
【００２２】
脚パイプ上側部材７にはオーニングロッド取付溝７２と折り畳み式上部ロッドヒンジ溝７１が設けられている。オーニングロッド１１がオーニングロッド取付溝７２の溝壁にヒンジ連結されて嵌合し、オーニングロッド取付溝７２の一側にはプッシュロッド配置溝７３が設けられ、オーニングユニット１の構造と効果的に嵌合するように、脚パイプ上側部材７の構造を最適化させて設計する。
【００２３】
オーニングユニット１は、接続スリーブセットとオーニングロッドセットを備える。接続スリーブセットは、第１スライドスリーブ１４、第２スライドスリーブ１５及び第３スライドスリーブ１６を備える。オーニングロッドセットは、オーニングロッド１１、斜め引きロッド１３及びプッシュロッド１２を備える。
【００２４】
第１スライドスリーブ１４は、オーニングロッド１１とスライド可能に嵌合し、プッシュロッド１２にヒンジ連結されて嵌合し、オーニングロッド１１の一端が脚パイプ上側部材７にヒンジ連結されて嵌合する。第１スライドスリーブ１４は、プッシュロッド１２を介して押されて、オーニングロッド１１に沿ってスライドする。折り畳み式テントが収納状態であるとき、オーニングロッド１１の開放端Ｃは、内向き位置にあり、折り畳み式テントが展開状態であるとき、オーニングロッド１１の開放端Ｃは、外向き位置にある。折り畳み式テントが収納状態から展開状態に変わるとき、第１スライドスリーブ１４は、オーニングロッド１１のヒンジ端Ａへ徐々にスライドし、第１スライドスリーブ１４限界位置Ｂまでスライドすると、オーニングロッド１１は、反転し始め、且つ第１スライドスリーブ１４は、折り畳み式テントが完全に展開するまで、開放端Ｃへ徐々にスライドし、限界位置Ｂとオーニングロッド１１のヒンジ端Ａ位置との間には、間隔が開けられている。
【００２５】
以上の説明では、開放端Ｃとヒンジ端Ａがそれぞれオーニングロッド１１の両端位置に位置し、異なる仕様や大きさの折り畳み式テントによって、その限界位置Ｂとヒンジ端Ａとの間の間隔が異なり、また、オーニングロッド１１が反転中で受力して駆動され、反転中で円弧状間隔をなすように、限界位置Ｂとヒンジ端Ａとの間に間隔を設置する必要がある。さらに、第１スライドスリーブ１４のスライド曲線が円弧状軌跡であり、折り畳み式テントが完全に展開するまで、第１スライドスリーブ１４もスライド中で開放端Ｃへ徐々に移動し、折り畳み式テントが完全に展開するとき、第１スライドスリーブ１４とヒンジ端Ａとの間の間隔が限界位置Ｂとヒンジ端Ａとの間の間隔より大きい。
【００２６】
第２スライドスリーブ１５は、プッシュロッド１２に固定して嵌合し、折り畳み式上部ロッド８とスライド可能に嵌合し、斜め引きロッド１３にヒンジ連結されて嵌合する。第３スライドスリーブ１６は、プッシュロッド１２とスライド可能に嵌合し、折り畳み式上部ロッド８に固定して嵌合し、折り畳み式斜めロッド９にヒンジ連結されて嵌合する。プッシュロッド１２の中央部が第２スライドスリーブ１５に固定して取り付けられ、プッシュロッド１２の一端が第１スライドスリーブ１４にヒンジ連結されて取り付けられ、プッシュロッド１２の他端が第３スライドスリーブ１６と第３スライドスリーブ１６を貫通して設けられる。プッシュロッド１２は、第１プッシュロッド部１２１、及び第３スライドスリーブ１６において伸縮してスライドする第２プッシュロッド部１２２を備える。折り畳み式テントが収納状態であるとき、第１スライドスリーブ１４とのヒンジ位置から離れるプッシュロッド１２の一端が、最内位置にあり、折り畳み式テントが展開状態であるとき、第１スライドスリーブ１４とのヒンジ位置から離れるプッシュロッド１２の一端が、最外位置にある。折り畳み式テントが収納状態から展開状態に変わるとき、斜め引きロッド１３は、第２スライドスリーブ１５を折り畳み式上部ロッド８に沿って外へ移動させ、プッシュロッド１２を外部に移動させ、第２スライドスリーブ１５のスライドストロークは、第３スライドスリーブ１６と、折り畳み式上部ロッド８と脚パイプ上側部材７とのヒンジ位置の間である。
【００２７】
更に、第２スライドスリーブ１５には、斜め引きロッド１３の一端にヒンジ連結されて嵌合する第２ヒンジ式ラグ１５１が設けられ、斜め引きロッド１３の他端は、折り畳み式斜めロッド９にヒンジ連結されて嵌合する。第２スライドスリーブ１５には、第２プッシュロッド貫通孔１５２及び第２折り畳み式上部ロッド貫通孔１５３がさらに設けられている。第２スライドスリーブ１５の上端中間には、第２オーニングロッド配置溝１５４が設けられ、折り畳み式テントが収納状態であるとき、オーニングロッド１１が第２オーニングロッド配置溝１５４に配置される。
【００２８】
更に、第３スライドスリーブ１６には、折り畳み式斜めロッド９にヒンジ連結されて嵌合する第３ヒンジ式ラグ１６１が設けられる。第３スライドスリーブ１６には第３プッシュロッド貫通孔１６２と第３折り畳み式上部ロッド貫通孔１６３が設けられる。第３スライドスリーブ１６の上端中間には、第３オーニングロッド配置溝１６４が設けられ、折り畳み式テントが収納状態であるとき、オーニングロッド１１が第３オーニングロッド配置溝１６４に配置される。
【００２９】
図１１に示すように、折り畳み式テント全体が収納状態であるとき、脚パイプ２を引くことで、図１２へ徐々に変わり、半展開状態になり、続いて脚パイプ２を引くと同時に、中心ロックユニット５をロックする。該プロセスでは、オーニングユニット１は、ブート状態に徐々に入り、図１３へ徐々に変わり、折り畳み式テント全体の展開を完了させる。
【００３０】
折り畳み式斜めロッドは、一端が脚パイプスライダーにヒンジ連結され、他端が第３ヒンジ式ラグにヒンジ連結される。脚パイプスライダーが連続的に上へ移動するとともに、第３ヒンジ式ラグを支持することで折り畳み式上部ロッドを上へ展開させ、同時に折り畳み式斜めロッドが連続的に移動して、斜め引きロッドを変位させ、斜め引きロッドが第２スライドスリーブを折り畳み式斜めロッドに沿って外へスライドさせると同時に、第２スライドスリーブがプッシュロッドを外へスライドさせ、プッシュロッドは、第１スライドスリーブがオーニングロッドに沿って一定の範囲をスライドするように駆動し、プッシュロッドが、第１スライドスリーブがオーニングロッドと脚パイプ上側部材とのヒンジ位置に近い箇所又は該ヒンジ位置にスライドするように駆動するとき、オーニングロッドがプッシュロッドによる推力を受け続け、第１スライドスリーブが外向きのスライド力を受け続ける。従って、オーニングロッドは脚パイプ上側部材のヒンジ点の軸心を通過し、１８０°高速反転を実現する。ここで、１８０°反転角度は、製品ロッド部材の配列に起因する所定の角度偏差が生じ、正確な１８０°ではなく、オーニングロッドが反転した後、折り畳み式テントが完全展開状態になるまで、プッシュロッドの持続的な推力がリリースされる。それにより、第１スライドスリーブを所定のストローク外へスライドさせ、収納する必要がある場合、部材の移動方向及び受力を反対状態にすることで、実現できる。
【００３１】
本考案においては、３つの異なる接続スリーブ構造を用いて各ロッド部材の間の受力伝動を実現する最適化した設計を用いる。そのうち、第１スライドスリーブの設計特徴は、オーニングロッドにおいて移動できることであり、プッシュロッドが第１スライドスリーブスライドの駆動出力を駆動して、オーニングロッドの受力点が可変状態になり、固定接続点の受力により制限されない。また、プッシュロッドが折り畳み式上部ロッドの方向に沿って前後にスライドできることによって、プッシュロッドの移動ストロークを延長させ、プッシュロッドが第１スライドスリーブに必要な全ストロークを駆動する前提で、プッシュロッド自体の長さを縮み、材料コストを削減することができるだけではなく、プッシュロッドを追加することによる、長さが長すぎるための他のロッド部材に干渉を与えることを避けることもでき、第２スライドスリーブは、プッシュロッドの駆動力入力に用いられる。また、折り畳み式上部ロッドに沿ってスライドできるように最適化され、プッシュロッドストローク方向に対する制限を実現する。そして、プッシュロッドがスライドする第３スライドスリーブを追加することによって、プッシュロッドのスライド安定性を向上させる。
【００３２】
本考案の設計特徴は以下のとおりである。折り畳み式テント自体の折り畳み・展開構造を用いて、斜め引きロッドを追加することで、駆動力の出力を実現し、第２スライドスリーブ及びプッシュロッドと組み合わせて二段伝送を実現し、第１スライドスリーブを用いてオーニングロッドに対する受力出力を完了する。それにより、オーニングロッドの反転運動を実現し、反転オーニングを完了させる。
【００３３】
本考案は、設計を最適化させ、プッシュロッドの可動構造を最適化させ、中心が固定されることと両端がスライドすることとを組み合わせた構造の設計を使用することにより、プッシュロッドがスムーズに水平にスライドでき、プッシュロッドの長さを短くして、干渉を回避する。また、プッシュロッドと第１スライドスリーブを組み合わせることにより、オーニングロッドの受力点を可動状態にし、オーニングロッドを反転してコニニング操作を行うことを容易にする。さらに、オーニングロッドが第１スライドスリーブとプッシュロッドによって制限されるため、オーニング操作の安定性を向上させる。
【００３４】
以上は、本考案の好適な実施形態にすぎず、考案に対するいなかる形態制限ではない。本考案の技術原理に基づいた以上の実施例に対するいかなる簡単な補正、等価変化や修飾は、本考案の技術案の範囲内に属する。
【符号の説明】
【００３５】
１  オーニングユニット、１１  オーニングロッド、１２  プッシュロッド、１３  斜め引きロッド、１４  第１スライドスリーブ、１５  第２スライドスリーブ、１５１  第２ヒンジ式ラグ、１５２  第２プッシュロッド貫通孔、１５３  第２折り畳み式上部ロッド貫通孔、１５４  第２オーニングロッド配置溝、１６  第３スライドスリーブ、１６１  第３ヒンジ式ラグ、１６２  第３プッシュロッド貫通孔、１６３  第３折り畳み式上部ロッド貫通孔、１６４  第３オーニングロッド配置溝、２  脚パイプ、３  脚パイプスライダー、４  中心ロッド、５  中心ロックユニット、６  サイドロッドユニット、７  脚パイプ上側部材、７１  折り畳み式上部ロッドヒンジ溝、７２  オーニングロッド取付溝、７３  プッシュロッド配置溝、８  折り畳み式上部ロッド、９  折り畳み式斜めロッド、Ａ  ヒンジ端、Ｂ  限界位置、Ｃ  開放端。
【図１】
0003230328.tif 000003
【図２】
0003230328.tif 000004
【図３】
0003230328.tif 000005
【図４】
0003230328.tif 000006
【図５】
0003230328.tif 000007
【図６】
0003230328.tif 000008
【図７】
0003230328.tif 000009
【図８】
0003230328.tif 000010
【図９】
0003230328.tif 000011
【図１０】
0003230328.tif 000012
【図１１】
0003230328.tif 000013
【図１２】
0003230328.tif 000014
【図１３】
0003230328.tif 000015